(57)【要約】      （修正有）【課題】データ量を確保でき、印刷等の表示部分が自在で、利用価値の高い各種データのカラーコードの作成／解読システム、カラーコードの表示方法及びカラーコード画像、又はカラーコード画像を含む画像表示体を提供することを課題とする。【解決手段】パーソナルコンピュータ等に入力されたデータから、カラーコードに変換するデータを、予め定められた基準に基づいて選択するカラーコード化データ選択手段と、該カラーコード化データ選択手段で選択されたデータをカラーコードに変換するカラーコードの作成手段と、を有していることであり、また、カラーコードの作成手段で作成されたカラーコード画像を含む送信画像を作成する送信画面作成手段と、該送信画面作成手段で作成された送信画面を通信回線を介して所定の端末機器に送信する送信手段と、送信された送信画面のカラーコード画像のデータを読み取る読取手段とを有していることである。【選択図】図１
2006040250.tif 000002
【特許請求の範囲】
【請求項１】
パーソナルコンピュータ等のデータ記録媒体に入力されたデータから、カラーコードに変換するデータを、予め定められた基準に基づいて選択するカラーコード化データ選択手段と、該カラーコード化データ選択手段で選択されたデータをカラーコードに変換するカラーコードの作成手段と、を有していることを特徴とするカラーコードの作成／解読システム。
【請求項２】
前記カラーコードの作成手段で作成されたカラーコード画像を含む送信画像を作成する送信画面作成手段と、該送信画面作成手段で作成された送信画面を通信回線を介して所定の端末機器に送信する送信手段と、送信された送信画面のカラーコード画像のデータを読み取る読取手段とを有している請求項１に記載のカラーコードの作成／解読システム。
【請求項３】
前記カラーコードの作成手段が、データを表現する具体的言葉の一語、言葉全体、又はデータに附加されるイメージ等の抽象的事項を一定の法則に沿って複数のカラー色の組み合わせに変換する請求項１又は２に記載のカラーコードの作成／解読システム。
【請求項４】
パーソナルコンピュータ等のデータ記録媒体に入力されたデータから、カラーコードに変換するデータを、予め定められた基準に基づいて選択するカラーコード化データ選択手段と、該カラーコード化データ選択手段で選択されたデータをカラーコードに変換するカラーコードの作成手段と、該カラーコードの作成手段で作成されたカラーコード画像を含む送信画像を作成する送信画面作成手段とを有し、しかも前記カラーコード画像を作成する際、他の送信画面に表示されている文字、記号、及び背景画像にカラーコード画像を組み込んで二次元又は三次元表示で表示することを特徴とするカラーコードの表示方法。
【請求項５】
前記カラーコードの作成手段で作成されたカラーコード媒体、カラーコード画像を含む送信画像の表示媒体、又はアウトプットされた二次元又は三次元表示媒体であることを特徴とする画像表示体。
【発明の詳細な説明】
【技術分野】
【０００１】本発明は、パーソナルコンピュータ等に入力された識別データ及び文字データ等の可視データから、カラーコードに変換（作成／解読）するシステム、該システムにより作成されたカラーコードを画像に表示する方法及び表示されたカラーコード画像、又はカラーコード画像を含む画像表示体に関するものであり、例えば、インターネットの通信回線を利用してカラーコードを作成若しくは解読するシステムに関するものである。
【背景技術】
【０００２】近年、インターネット、ＦＡＸ、携帯用電子機器等の通信回線を利用した各種のデータの提供が多数利用されている。例えば、サーバー側コンピューターで文字、写真、グラフ等のデータを利用して送信画像を作成し、通信回線で接続された端末側コンピューターへ作成された画像を送信するシステムである。このシステムでは、受信した端末側コンピューターに送信画像が直接的に表示されているために、その解読が容易であり、簡易な内容のデータにおいては利用性が高く便利である。【０００３】このような従来のデータの送信方法及びそのデータの表示においては、直接的な内容に限定されているために、そのデータ量において一定の限界があった。【０００４】また、各種多くのデータの管理、表示する手段として、一方向のみに、多くのデータが集約されているバーコードが使用されている。このバーコードは、文字と異なって直ちにそのデータの内容を知ることができないので、商品や顧客等の秘密を管理するのに適している。しかしながら、近年のデータの多様化、データの管理する必要性が要求されるとバーコードでは十分に対応することができない。【０００５】そこで、縦横の両方向にデータを有し、前記バーコードに比し１０倍から１００倍の大容量のデータが集約可能である二次元コードが提案された。
この二次元コードは、二次元コード作成プログラムの導入されたパーソナルコンピューターで、入力された文字、写真等のデータを二次元コード作成プログラムで二次元コードに変換して端末側コンピューターへ送信、又は二次元コードに変換してプリントして種々の用紙或いは器具に印刷して使用されるケースが一般的である。【０００６】また、他のデータの伝達手段としてカラー色による表現が考えられた。これは、縦３個横２列の点の組合せで成る点字の各点に色を割り当てその色の組み合わせを点字の意味と同じにし、その組み合わせの色をポケットベル等の文字表記に送信する送信方法で考えられた。【０００７】つまり、縦方向３点、横方向２列、合計６個所の点の組合せで成る視覚障害者のための点字の各点に固有の色を着色する方法である。例えば（サ）の場合、点字は点１、点６の位置の黒丸となるがその黒丸となる点にそれぞれ赤、橙を配色することであり、その６個の点に応じた配色を、テレビゲームやポケットベル等の文字表記に適応することであります。
【特許文献】特願２００２−２９７５８４号公報
【特許文献】平成９年特許願第１５９１２４号公報
【発明の開示】
【発明が解決しようとする課題】
【０００８】しかしながら、近年におけるデータ量の増加、データの表現の多様化、データの表示のデザイン性等において、上記二次元コードでは、その表示部分を別スペースとして確保する必要があるとともに、二次元コードそのものが無味乾燥であるために十分に対応することができないという問題点があった。【０００９】また、二次元コードは白黒の二値データの組み合わせでデータを記録する方式であるために、記録できるデータ密度が小さいという欠点を有している。【００１０】また、二次元コードは主として識別データを記録するのに使用され、文字データ等の可視データの記録においてはデータ密度の問題を含め不向きであった。【００１１】また点字の６個の点に対応した色の組み合わせをポケットベル等の文字表記に送信する送信方法は、点字の各点に色を割り当てることで色の組み合わせを点字の意味と同じにすることを特徴とするしているために、その組み合わせが（文字毎の組み合わせのみに）限定されるために、送信するデータ量に問題があった。また、その変換方法及び送信方法に関して特に明記がなく、具体性に欠けるものであった。【００１２】そこで、本発明は、上記課題を解決することを目標とし、特にデータ量を確保でき、印刷等の表示部分が自在で、利用価値の高い各種可視的な媒体へのデータのカラーコードの作成／解読システム、カラーコードの表示方法及びカラーコード画像、又はカラーコード画像を含む画像表示体を提供することを目的とする。【００１３】特に、データ密度が大きく識別データはもとより、より多量の可視データの記録に優れ、解読がシステムの容易化を図ったことで利便性の高いカラーコードの作成／解読システム、カラーコードの表示方法及びカラーコード画像、又はカラーコード画像を含む画像表示体を提供することを目的とする。
【課題を解決するための手段】
【００１４】そして、本発明は上記目的を達成するため、パーソナルコンピュータ等のデータ記録媒体に入力されたデータから、カラーコードに変換するデータを、予め定められた基準に基づいて選択するカラーコード化データ選択手段と、該カラーコード化データ選択手段で選択されたデータをカラーコードに変換するカラーコードの作成手段と、を有していることを特徴とする。
／解読システム。【００１５】また、前記カラーコードの作成手段で作成されたカラーコード画像を含む送信画像を作成する送信画面作成手段と、該送信画面作成手段で作成された送信画面を通信回線を介して所定の端末機器に送信する送信手段と、送信された送信画面のカラーコード画像の情報を読み取る読取手段とを有していることである。【００１６】また、前記カラーコードの作成手段が、データを表現する具体的言葉の一語、言葉全体、又は情報に附加されるイメージ等の抽象的事項を一定の法則に沿って複数のカラー色の組み合わせに変換することである。【００１７】パーソナルコンピュータ等のデータ記録媒体に入力されたデータから、カラーコードに変換するデータを、予め定められた基準に基づいて選択するカラーコード化データ選択手段と、該カラーコード化データ選択手段で選択されたデータをカラーコードに変換するカラーコードの作成手段と、該カラーコードの作成手段で作成されたカラーコード画像を含む送信画像を作成する送信画面作成手段とを有し、しかも前記カラーコード画像を作成する際、他の送信画面に表示されている文字、記号、及び背景画像にカラーコード画像を組み込んで二次元又は三次元表示で表示することを特徴とする。【００１８】また、前記カラーコードの作成手段で作成されたカラーコード媒体、カラーコード画像を含む送信画像の表示媒体、又はアウトプットされた二次元又は三次元表示媒体である。
【発明の作用、及び効果】
【００１９】そして、本発明の作用は、パーソナルコンピュータ等のデータ記録媒体に入力された文字及び音声データのうちカラーコードに変換するデータをカラーコード化データ選択手段により予め定められた基準に基づいて選択し、そしてカラーコード化データ選択手段で選択されたデータをカラーコードの作成手段を用いてカラーコードに変換する。その後、カラーコードの作成手段で作成されたカラーコード画像を含む送信画像を送信画面作成手段で作成し、送信画面作成手段で作成された送信画面を通信回線を介して所定の端末機器に送信手段を介して送信する。さらに、送信された送信画面のカラーコード画像のデータを読取手段を介して読み取ることである。
【００２０】カラーコードを作成する際、入力されたデータを表現する具体的言葉（例えば文字、又は写真、グラフ等）の一語、言葉全体、又はデータに附加されるイメージ等の抽象的事項（例えば、活気、平和、友好、優しい等）を一定の法則に沿って複数のカラー色の組み合わせに変換する。これにより、従来の１つの文字データをドット等の１つのコードで表現する場合に比しより多くのデータを一度に表示することが可能となる。
【００２１】尚、作成するデータにおいて、上記のような可視データのみならず、従来より使用されている識別データを同時に併せた状態で表示することも可能である。
【００２２】この際、データ量の全体、又はその一部のみを、例えば１つのドットに複数のカラー色の組み合わせて多量のデータに１つのコードに変換することも可能であり、また、イメージ等の抽象的事項のみのデータを例えば文字データと組み合わせて、例えば、１つのドットに複数のカラー色の組み合わせ、全体で１つの記号を形成することも可能である。即ち、データ量の多少、データの種類に応じて自在にカラーの組み合わせ、ドットや他の可視的な媒体との組み合わせの表現を行うことが可能である。
【００２３】カラーコード画像を作成する際、他の送信画面に表示されている文字データ、記号データ、及び背景画像の一部にカラーコード画像を組み込んで二次元（平面として）的に表示することもでき、また、必要に応じて三次元表示（立体的に）とすべく立体として表示、例えば三角錐をカラーを利用して断層的に表示又は複数のドットで表現すべく構成することも可能であり、さらに表面の一部にカラーコードが表示されているように表現  することも可能である。このように、表示方法がさらに種々選択することができるので、さらに多くの選択肢が増え、データの多様化にも対応することが可能となる。
【００２４】カラーコードの作成手段で作成されたカラーコード画像、又はカラーコード画像を含む送信画像の画像表示面、又はアウトプットされた画像表示体を、他の目的（例えば広告媒体として）用として使用することができる。
【００２５】このように、上記従来の方法に比しより多くのデータを表現することができる他、変換作業が容易であり一度に多くのデータを簡易に送信することができ、あらゆる送信手段として利用することもできる。
【００２６】また、カラーコード化データ選択手段をそれぞれ目的に応じて変更することにより、伝達内容の機密性を保持することができるので、あらゆる内容、あらゆる目的に応じた送信することができる他、カラーコードの普及が期待されることとなる。
【００２７】また、このシステムを利用した通信事業、カラーコードを設けることによる商品の流通システム事業等、カラーコード作成ビジネスの新たな展開も可能となり、カラーコードの用途の飛躍的拡大が可能となる。
【００２８】さらに、カラーコード画像の表示を、プリントされた平面の印刷物として広告等に使用することができる他、立体的な造形物の表示としてコンピューター内に内蔵して表示することも、立体的な造形物として作成、表現することも可能となるという利点がある。
【図面の簡単な説明】
【００２９】
【図１】は、本発明の一実施例であるカラーコード作成システムの概要を示す概略説明図
【図２】は、カラーコードを作成する手順を示す概略フローチャートである。
【発明の好ましい実施の形態】
【００３０】以下、本発明のカラーコードの作成／解読システム、カラーコードの表示方法及びカラーコード画像、又はカラーコード画像を含む画像表示体を図面を用いて詳細に説明する。
【００３１】図１は、本発明の一実施例であるカラーコード作成システムの概要を示す概略説明図であり、図２はカラーコードを作成する手順を示す概略フローチャートである。
【００３２】図１は、カラーコードの作成・解読サービスシステムとしての使用についての実施であります。ここで、符号１はアクセスする側の端末コンピューターシステムであり、符号２はカラーコード作成機能を有するサーバーコンピューターシステムである。
【００３３】端末コンピューターシステム１は、少なくとも端末機３、又は携帯端末機３Ａ、及びプリンタ４とから構成され、該端末コンピューター３にインターネット等の通信回線５を介して接続されている。
【００３４】サーバーコンピューターシステム２は、サーバコンピューター６と、該サーバコンピューター６に入力されたカラーコード化データ選択手段７と、カラーコード作成手段８と、返信画面作成手段９とから構成されている。
【００３５】カラーコード化データ選択手段７は、入力されたデータのうち、予め定められている基準に基づいて、端末コンピューター３から送信されたデータの中から、カラーコード化すべきデータを選択する。ここで、予め定められている基準とは、入力された文字データを該当する蓄積データに対比することであります。この蓄積データに対比としては、一文字に対して一つのカラー、例えば「あ」に対して「青」、又は一つの言葉に対してカラー化された一つのカラー、例えば、「システム」に対して「黄」、及びイメージ等の抽象的事項に対しのカラー、例えば「平和」に対して「緑」等であります。
【００３６】カラーコード作成手段８は、カラーコード化データ選択手段７により選択された文字データをコード化し、同様にコード化された文字データに対応するコード化されたカラーを選択した後、指定されたマーク、例えば点、線、或いは既存のアルファベット、平仮名等の枠内に点、線等で表示することでカラーコードを作成する。
【００３７】次に本発明のカラーコードの作成／解読システム、カラーコードの表示方法について説明する。
【００３８】先ず端末コンピューター３からインターネット等の通信回線５を介してサーバコンピュターシステム２に接続し、端末コンピューター３にキーボート、工学的読取機等で入力した各種データを、インターネット等の通信回線５を介してサーバーコンピュター６に送信する。
【００３９】その後、前記データを受けたサーバーコンピュター６は、カラーコード化データ選択手段７にて入力されたデータのうち予め定められている基準に基づいて、カラーコード化すべきデータを選択し、その選択データ或いはこれと予め設定されているカラーコード化データとを含めてカラーコード作成手段８にてカラーコードを作成する。作成されたカラーコードは、返信画面作成手段９にてカラーコード画像又はカラーコード画像と他のデータとの合成された表示画像を返信用の画面として作成する。
【００４０】その後、前記作成された返信用の画面は、サーバーコンピューター６からインターネット等の通信回線５を介して前記端末コンピューター３に送信される。
【００４１】送信された画面は、端末コンピューター３に保存したり、必要に応じて付設のプリンタにて出力するこれにより、端末コンピューターシステム１にカラーコード作成プログラム等を装備する事なくカラーコードを作成する事が可能となる。
【００４２】尚、端末コンピューター３に返信されたカラーコード画像、又はカラーコード画像と他のデータとの合成された表示画像に含まれたデータは、前記したプリンタにて印刷する代わりに、そのまま端末コンピューター３に保存したり、携帯電話、携帯データ端末、電子手帳等の携帯或いは装着可能な端末側機器に複写して保存したり、或いは返信されたカラーコードを用いて、所定の目的の為に更なる加工、例えば大きさ、形状等を任意に作成して目的物に添付したり、一体的に形成したり、又は二次元の平面状の印刷物として、例えば、名刺、パンフレット等、又は三次元の立体的の造形物、例えば、球体、立法体等、として表示することも可能である。
【００４３】次に、カラーコード作成手段におけるカラーコードを作成するための要領について詳細に説明する。
【００４４】この作成要領は、先ず、入力された通常の文字や符号等より構成された各種のデータをカラーコード作成手段で、通常の文字コードとカラーコード用文字コードとの相互変換を行うコード変換手段にて、各種カラーコードとする。この相互変換の際、データを表現する具体的言葉の一語、言葉全体、又はデータに附加されるイメージ等の抽象的事項を一定の法則に沿ってカラーコードに変換する。ここで、具体的事項とは、例えば、一定の言語（４文字漢字、連絡すべき一般的文章、送信先の社名、担当者氏名等の複数の文字からなる言語〉、一語一語の文字、記号（ひらがな、カタカナ、アルファベット、学術記号、単位記号、括弧記号等）であり、抽象的事項とは、例えば、活気を表す、平和を表す、友好を表す、優しさを表す等である。また、特に具体的事項の変換の際に、四角、円、アルファベット等の選択した枠で作成されたマークに区画しながら色を組み合わせで構成する（例えば、四角内に６色を棒状に配色する、又は円形内に６色を６０度角の扇状に配色、複数のドットを用いる等）。
【００４５】尚、枠の選択は必須の構成ではなく枠なしで一定色を区画の印として色の組み合わせで構成することも可能である（例えば、赤以外の６色毎に赤の棒、点等を配色することにより区画する等）。また、例えば会社名ＡＢＣとすると各Ａ、Ｂ、Ｃを枠状に構成した後、それぞれのＡ、Ｂ、Ｃ枠内に会社の理念等をカラー色の組み合わせに変換した状態で表示して送信することで、会社のイメージアップを図る広告媒体として使用も可能である。
【００４６】又、カラーについてもその濃淡、光沢を含めた区分等コンピューター処理できる範囲における区分が可能である。
【００４７】更に、図面、写真を含む可視データは、イメージスキャナやビデオカメラ等で入力し、デジタル画像データに変換した後、任意のカラーデータ変換して表示する。
【００４８】次に、このデータ量を調整することにより、カラーコード画像の大きさや形状が予め定められた要領に従って調整され、最終的に調整された形状、例えば、文字、図形等内に縦（Ｘ軸）、横（Ｙ軸）、斜め方向に、縦（Ｘ軸）、横（Ｙ軸）、斜めの各方向を掛け合わせた方向に、各種のカラー色で線、点等を形成することでカラーコード画像を作成する。また、立体的に縦（Ｘ軸）、横（Ｙ軸）、高さ（Ｚ軸）方向に各種のカラー色（赤、黄、青色の３色で種々の色を作りながら組み合わせ）線、点等を形成することで立体的なカラーコード画像を作成する。
【００４９】その調整された画像が端末コンピューター３に送信され、該端末コンピューター３側では必要に応じて画像の印刷、立体物としての造形等が行われる。
【００５０】次に、カラーコード作成システムを利用した例としては、該カラーコード化自体をビジネスとするものと、作成されたカラーコードの解読をビジネスとするものとに分類される。
【００５１】先ず、カラーコード作成システムについて説明する。顧客は、自己の端末コンピューター３をインターネットを介してカラーコード作成サーバーのコンピューターシステム２のカラーコード作成システムに接続し、表示された初期画面に予め与えられているＩＤ、パスワード等の認証手段を入力すると、サーバーコンピューター６では、記憶されている顧客の認証手段と対比した後、カラーコード作成画面を接続する。
【００５２】次に、顧客は、自己の端末コンピューター３にカラーコード化したい所定のデータ及びその他のデータ等を入力し、サーバーコンピューターシステム２からインターネットを通してカラーコード化データ選択手段７を呼び出し、カラーコード化すべきデータを選択し、選択が完了すると、この選択データをインターネットを通してサーバーコンピューター６に送信する。
【００５３】これを受信したサーバーコンピュー６では、該サーバーコンピューター６に内蔵されているカラーコード作成手段８によって自動的にカラーコードを作成する。尚、カラーコードの表示形態、表示方法は顧客の選択によって決定される。
【００５４】次に、前記カラーコード画像を顧客の端末コンピューター３にインターネットを通して返信することも可能であるが、必要に応じてサーバーコンピューターシステム２に備えられている返信画面作成手段９を呼び出し、カラーコード画像と共に他の文字データや画像状を選択して返信画面作成手段にて合成して返信画面を作成しこの合成画面をインターネットを通して顧客の端末コンピューター３に返信することも可能である。
【００５５】尚、返信画面の作成に当たり、前記作成されたカラーコード画像の大きさや形状の調整及びカラーコード化データの追加や削減を行う場合には、カラーコード化データ選択手段７の工程に戻って遣り直す事も可能である。前記送信画面が満足できるものであれば、前述の通り、これを自己のファイルに保存し、更に他の文字や画像等を含めて任意の画像を作成し、所定の相手方端末コンピューターシステム１にカラーコード画像を含むデータをインターネットを通して送信する。
【００５６】次に、上記要領によって作成され、顧客から相手に送信されたカラーコード画像は相手方コンピューターシステム１がカラーコード読み取り装置を有していなければ、これを読み取ることは不可能である。そこで、次にこの読み取りシステムに関して説明する。
【００５７】カラーコード画像をふくむデータを受け取った相手方は、自己の端末コンピューター３に接続し、サーバーコンピューター６の初期画面を呼び出し、サーバーコンピューター６のカラーコード読取画面に接続し、受信したカラーコード画像をインターネットを通じてサーバーコンピューターシステム２に送信する。送信されたカラーコード画像は、サーバーコンピューターシステム２が具備するカラーコード読取手段によって自動的に読み取られ、その読み取りデータはインターネットを通じて相手方コンピューターに返信される。ここで送信された読み取りデータは自己において二次加工等の所定の処理を行い必要に応じてプリンタで印刷する。
【００５８】次にカラーコード読取手段について説明する。カラーコードを受信した相手方顧客は先ずその画像をサーバーコンピューターシステム２に送信し、カラーコードが書類に添付されている様な場合には、スキャナー等のカラーコード画像リーダーによって画像を読み取り、これをサーバーコンピューターシステム２に送信する。サーバーコンピューター６では、送信されたカラーコード画像を、通常の文字コードとカラーコード用文字コードとを相互に変換するコード変換システムによってカラーコード用文字コードを通常の文字コード変換し、この変換した通常の文字コードデータをインターネットを介して顧客コンピューターに返信する。これを受信した顧客のコンピューターでは、通常の文字コードとなっているので、自己のコンピューターに内蔵されているソフトにより通常の文字符号となって表示される。
【００５９】尚、上記実施の形態はサーバーコンピューターシステム２のみに、カラーコード化データ選択手段７、カラーコード作成手段８等を設けたが、カラーコード化データ選択手段７、カラーコード作成手段８等をビジネスの対象として販売するシステムとすることも可能である。
【図１】
2006040250.tif 000003
【図２】
2006040250.tif 000004
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
パーソナルコンピュータ等のデータ記録媒体に入力されたデータから、カラーコードに変換するデータを、予め定められた基準に基づいて選択するカラーコード化データ選択手段と、該カラーコード化データ選択手段で選択されたデータ或いはこれと予め設定されているカラーコード化データとを含めてカラーコードに変換するカラーコードの作成手段と、を有し、前記カラーコードの作成手段が、データを表現する具体的言葉の一語、言葉全体、又はデータに附加されるイメージ等の抽象的事項を一定の法則に沿って複数のカラー色の組み合わせに変換し、ドットや他の可視的な媒体との組み合わせの表現することを特徴とするカラーコードの作成／解読システム。
【請求項２】
パーソナルコンピュータ等のデータ記録媒体に入力されたデータから、カラーコードに変換するデータを、予め定められた基準に基づいて選択するカラーコード化データ選択手段と、該カラーコード化データ選択手段で選択されたデータ或いはこれと予め設定されているカラーコード化データとを含めてカラーコードに変換するカラーコードの作成手段と、を有し、前記カラーコードの作成手段で作成されたカラーコード画像を含む送信画像を作成する送信画面作成手段と、該送信画面作成手段で作成された送信画面を通信回線を介して所定の端末機器に送信する送信手段と、送信された送信画面のカラーコード画像のデータを読み取る読取手段とを有し、しかも前記カラーコード画像を作成する際、他の送信画面に表示されている文字、記号、及び背景画像にカラーコード画像を組み込んで二次元又は三次元表示で表示することを特徴とするカラーコードの作成／解読システム。
【請求項３】
前記カラーコードの作成手段で作成されたカラーコード媒体、カラーコード画像を含む送信画像の表示媒体、又はアウトプットされた二次元又は三次元表示媒体であることを特徴とする画像表示体。
【手続補正２】
【補正対象書類名】明細書
【補正対象項目名】００１４
【補正方法】変更
【補正の内容】
【００１４】そして、本発明は上記目的を達成するため、パーソナルコンピュータ等のデータ記録媒体に入力されたデータから、カラーコードに変換するデータを、予め定められた基準に基づいて選択するカラーコード化データ選択手段と、該カラーコード化データ選択手段で選択されたデータ或いはこれと予め設定されているカラーコード化データとを含めてカラーコードに変換するカラーコードの作成手段と、を有し、前記カラーコードの作成手段が、データを表現する具体的言葉の一語、言葉全体、又はデータに附加されるイメージ等の抽象的事項を一定の法則に沿って複数のカラー色の組み合わせに変換し、ドットや他の可視的な媒体との組み合わせの表現することを特徴とする。
【手続補正３】
【補正対象書類名】明細書
【補正対象項目名】００１５
【補正方法】変更
【補正の内容】
【００１５】また、パーソナルコンピュータ等のデータ記録媒体に入力されたデータから、カラーコードに変換するデータを、予め定められた基準に基づいて選択するカラーコード化データ選択手段と、該カラーコード化データ選択手段で選択されたデータ或いはこれと予め設定されているカラーコード化データとを含めてカラーコードに変換するカラーコードの作成手段と、を有し、前記カラーコードの作成手段で作成されたカラーコード画像を含む送信画像を作成する送信画面作成手段と、該送信画面作成手段で作成された送信画面を通信回線を介して所定の端末機器に送信する送信手段と、送信された送信画面のカラーコード画像のデータを読み取る読取手段とを有し、しかも前記カラーコード画像を作成する際、他の送信画面に表示されている文字、記号、及び背景画像にカラーコード画像を組み込んで二次元又は三次元表示で表示することを特徴とする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】また、前記カラーコードの作成手段で作成されたカラーコード媒体、カラーコード画像を含む送信画像の表示媒体、又はアウトプットされた二次元又は三次元表示媒体であることを特徴とする。